(57)【要約】【課題】  ピクチャーフックをレールに簡単な操作でガタついたり外れたりせずに、確実に固定できるようにすることを目的とする。【解決手段】  下部を開口し、左右内面下端からそれぞれ内向き支持片を突設しスライド溝を有するレールに、鉤部とその上方に順にフランジ、フランジより小径の首下部、首下部より大径のヘッドを連ねてなるピクチャーフックを嵌合させる展示パネル用吊り下げ装置において、ヘッドをレールのスライド溝に挿入し、挿入後回転させてレールと係合できるように、その両側を削除し、首下部に弾性体を装着して内向き支持片を押圧させるようにしてピクチャーフックをレールに取付けるようにした展示パネル用吊り下げ装置のピクチャーフックとした。【選択図】  図８
2005213756.tif 000002
【特許請求の範囲】
【請求項１】
下部を開口し、左右内面下端からそれぞれ内向き支持片を突設しスライド溝を有するレールに、鉤部とその上方に順にフランジ、フランジより小径の首下部、首下部より大径のヘッドを連ねてなるピクチャーフックを嵌合させる展示パネル用吊り下げ装置において、ヘッドをレールのスライド溝に挿入し、挿入後回転させてレールと係合できるように、その両側を削除し、首下部に弾性体を装着して内向き支持片を押圧させるようにしてピクチャーフックをレールに取付けるようにした展示パネル用吊り下げ装置のピクチャーフック。
【発明の詳細な説明】
【技術分野】
【０００１】
本発明は、展示パネル用吊り下げ装置のピクチャーフックに関し、特に、ピクチャーフックを吊り下げるレールのスライド溝の深さに関係なく、ピクチャーフックをレールにガタついたり外れたりせずに確実に固定できるようにしたものである。
【背景技術】
【０００２】
従来の展示パネル用吊り下げ装置のピクチャーフック１０１は、図９に示すように、レール１０２のスライド溝１０３にそのヘッド１０４を挿入し、挿入後回転させてレール１０２と係合させている。ヘッド１０４はスライド溝１０３に挿入できるようにその両側を削除してある。このピクチャーフック１０１のヘッド１０４の上面にはゴム等の弾性体１０５を接着して、スライド溝１０３にピクチャーフックを固定するようにしてある。
【特許文献１】特開２００３−２２７２１９号公報
【発明の開示】
【発明が解決しようとする課題】
【０００３】
ピクチャーフック１０１のヘッド１０４の上面にはゴム等の弾性体１０５を接着して、スライド溝１０３にピクチコーフックを固定するようにしてあるが、スライド溝１０３の溝の深さが弾性体１０５に対して深すぎたりすると、ピクチャーフック１０１はガタついたり外れたりする。
【０００４】
そこで、ピクチャーフックをレールに簡単な操作でガタついたり外れたりせずに、確実に固定できることが求められている。
【課題を解決するための手段】
【０００５】
そこで、本発明は、上記の事情に鑑み、ピクチャーフックをレールに簡単な操作でガタついたり外れたりせずに、確実に固定できるようにすべく、下部を開口し、左右内面下端からそれぞれ内向き支持片を突設しスライド溝を有するレールに、鉤部とその上方に順にフランジ、フランジより小径の首下部、首下部より大径のヘッドを連ねてなるピクチャーフックを嵌合させる絵画等の展示パネル用吊り下げ装置において、ヘッドをレールのスライド溝に挿入し、挿入後回転させてレールと係合できるように、その両側を削除し、首下部に弾性体を装着して内向き支持片を押圧させるようにしてピクチャーフックをレールに取付けるようにした展示パネル用吊り下げ装置のピクチャーフックとした。
【発明の効果】
【０００６】
本発明は、下部を開口し、左右内面下端からそれぞれ内向き支持片を突設しスライド溝を有するレールに、鉤部とその上方に順にフランジ、フランジより小径の首下部、首下部より大径のヘッドを連ねてなるピクチャーフックを嵌合させる展示パネル用吊り下げ装置において、ヘッドをレールのスライド溝に挿入し、挿入後回転させてレールと係合できるように、その両側を削除し、首下部に弾性体を装着して内向き支持片を押圧させるようにしてピクチャーフックをレールに取付けるようにした展示パネル用吊り下げ装置のピクチャーフックであるので、ピクチャーフックをレールに簡単な操作でガタついたり外れたりせずに、確実に固定できる。
【発明を実施するための最良の形態】
【０００７】
本発明を添付する図面に示す具体的な実施例に基づいて、以下詳細に説明する。
【０００８】
図１にレールの斜視図を示す。
【０００９】
レール１にはアルミ製の押出形材で、側部を開口した固定用溝２と、前記固定用溝２の下方に下部を開口したスライド溝３とを有する。
【００１０】
このレール１を図２に示す樹脂製円板状ブラケット４と、図３に示すネジ５とを用いて壁面に取付ける。ブラケット４は外周面に円環溝６を刻設し、中心にネジ５を通す挿通孔７を穿設する。ネジ５の軸部には螺旋状のネジ山８を形成し、頭部９には十字穴１０を刻設する。ブラケット４には前記頭部９を収容する座穴１４を設ける。
【００１１】
レール１の固定用溝２の上下内面にはそれぞれ対向する位置に内向き突起１１1 ・１１2 ・１２1 ・１２2 を突設する。この内向き突起１１1 ・１２1 がブラケット４の円環溝６に嵌まり、内向き突起１１2 ・１２2 はブラケット４の端面を案内する。また、スライド溝３の左右内面下端にはそれぞれ内向き支持片１３1 ・１３2 を突設する。
【００１２】
レール１の壁面への取付け要領を図４〜図６に示す。
【００１３】
まず、図４に示すように、レール１の取付予定箇所にブラケット４をネジ５にて螺締する。レール１を水平状に取付けねばならないため、ブラケット４の取付個数は２箇所以上である。
【００１４】
次に、図５に示すように、ブラケット４の円環溝６にレール１の内向き突起１１1 を嵌める。
【００１５】
続いて、図６に示すように、ブラケット４の円環溝６にレール１の内向き突起１２1 を嵌める。図６はレール１の取付けが完了した状態である。
【００１６】
図７に本発明のピクチャーフックの正面図、側面図、平面図の３面図を示す。ピクチャーフックは、絵画等の展示パネルを吊り下げる。
【００１７】
ピクチャーフック２０は、鉤部２１と、鉤部２１の上方に順に、フランジ２２、フランジ２２より小径の首下部２３、首下部２３より大径のヘッド２４よりなり、ヘッド２４はレール１のスライド溝３に挿入し、挿入後回転させてレール１と係合できるように、その両側を削除する。ヘッド２４の削除後の幅は首下部２３の直径と同一とする。
【００１８】
このピクチャーフック２０の首下部２３に円盤状の塩化ビニール製ブッシュ２５、発泡ゴム製ブッシュ２６の弾性体を装着する。塩化ビニール製ブッシュ２５は硬く発泡ゴム製ブッシュ２６は特に弾性に富み、両者の厚さは内向き支持片１３1 ・１３2 を押圧できるように設定する。なお、弾性体としてバネを用いることもできる。
【００１９】
図８はレール１にピクチャーフック２０をレール１に装着した状態を示す。レール１の内向き支持片１３1 ・１３2 とピクチャーフック２０のフランジ２５間に介在する弾性体により、レール１の所望の位置にピクチャーフック２０を簡単に固定することができる。      
【００２０】
本ピクチャーフック２０は、レール１を固定後、レール１の任意の箇所にピクチャーフック２０を取付け固定するもので、下方よりヘッド２４を挿入し、挿入後ヘッド２４を回転させて内向き支持片１３1 ・１３2 に係合させるものである。本ピクチャーフック２０はレール１の端面から差し込むものではない。
【実施例】
【００２１】
レール１の幅は８ｍｍ、高さ１８ｍｍで、長さは適宜長さに設定できる。
【図面の簡単な説明】
【００２２】
【図１】展示パネル用壁面固定レールに係るレールの斜視図である。
【図２】ブラケットの断面図である。
【図３】ネジの正面図である。
【図４】レールを壁面でネジで取付けた状態の縦断面図である。
【図５】レールの上の内向き突起をブラケットの円環溝に嵌めた状態の縦断面図である。
【図６】レールの下の内向き突起をブラケットの円環溝に嵌めた状態の縦断面図である。
【図７】本発明のピクチャーフックの正面図、側面図、平面図の３面図である。
【図８】本発明のピクチャーフックをレールに装着した状態の縦断面図である。
【図９】従来のピクチャーフックをレールに装着した状態の縦断面図である。
【符号の説明】
【００２３】
１３1 ・１３2 …内向き支持片
３…スライド溝
１…レール
２１…鉤部
２２…フランジ
２３…首下部
２４…ヘッド
２０…ピクチャーフック
２５…塩化ビニール製ブッシュ（弾性体の例）
２６…発泡ゴム製ブッシュ（弾性体の例）
【図１】
2005213756.tif 000003
【図２】
2005213756.tif 000004
【図３】
2005213756.tif 000005
【図４】
2005213756.tif 000006
【図５】
2005213756.tif 000007
【図６】
2005213756.tif 000008
【図７】
2005213756.tif 000009
【図８】
2005213756.tif 000010
【図９】
2005213756.tif 000011